(57)【特許請求の範囲】
【請求項１】
受信機本体と前記受信機本体に着脱可能な形態を有するＩＣカードとで構成された限定受信方式に適合した放送受信機において、
放送局側で生成された第１のコードと、前記受信機本体の製造業者である第三者には検知し得ない方法で該放送局側において該第１のコードを変換して得られた第２のコードとを受信する受信手段と、
受信された前記第２のコードを入力するＩＣカードであって、該ＩＣカードの内部プログラムに基づいて変換処理を行った結果として得られる第３のコードを当該受信機本体へ送出するＩＣカードと、
前記第３のコードを前記第１のコードと比較する比較手段と、
前記比較手段により比較した結果が一致しない場合には、前記ＩＣカードが当該限定受信方式に適合していない旨を告知する告知手段と
を具備したことを特徴とする、限定受信方式に適合した放送受信機。
【請求項２】
請求項１に記載の放送受信機において、
前記ＩＣカードの内部プログラムに基づいて行う変換処理は、放送局側で行われる変換処理に対する逆変換処理であり、該逆変換処理により得られる結果が前記第１のコードと同一である場合には、当該限定受信方式には適合していない旨の告知を行わないことを特徴とする、限定受信方式に適合した放送受信機。
【請求項３】
請求項１に記載の放送受信機において、
放送局側およびＩＣカード内で行われる変換処理として、ブロック暗号方式あるいはストリーム暗号方式を用いることを特徴とする、限定受信方式に適合した放送受信機。
【発明の詳細な説明】
【０００１】
【発明の属する技術分野】
本発明は、限定受信方式に適合した放送受信機に関するものである。
【０００２】
さらに詳述すると、本発明は、受信機本体に装填されたＩＣカードの処理機能を受信機本体側で判定するのに好適な、限定受信方式に適合した放送受信機に関するものである。
【０００３】
【従来の技術】
従来から知られている限定受信方式の受信機には、セキュリティ処理に関する部分として、一般に、スクランブルされて放送された映像や音声などの信号を復元するデスクランブラと、このデスクランブルを制御するための関連情報と呼ばれる情報を処理する関連情報処理部がある。このとき、受信機本体とセキュリティ処理を行う部分の関係としては、大きく図２のような場合がある。
【０００４】
図２において、ａｎｔは受信用アンテナ、ｔｕｎｒはチューナ、ｄｅｓｃはデスクランブラ、ｐｒｏｃは関連情報処理部、ｄｅｃは映像・音声デコーダ、ｄｉｓｐは表示部である。
【０００５】
図２のＡは、セキュリティ処理を行う部分が受信機本体に埋め込まれている場合で、外部に処理中の信号が出力するインタフェースを持たない点で安全性が高いが、セキュリティ処理の部分が解読された場合は、受信機本体を含めて更新する必要がある。
【０００６】
図２のＢは、デスクランブラの部分は受信機本体に含まれるが、このデスクランブルを制御するための関連情報処理部を受信機本体から取り外し可能なモジュールにした場合である。すなわち、放送局から受信された番組情報（Entitlement Control Message、以下、ＥＣＭと記す）および個別情報（Entitlement Management Massage、以下、ＥＭＭと記す）と呼ばれる関連情報の暗号を復号して、受信の可否を判定して、スクランブル鍵（図面中、Ｋｓと記す）を生成する部分が受信機本体から取り外し可能なモジュールの形態とする場合であり、このセキュリティモジュールとしては、近年、ＩＳＯ規格によるＣＰＵ内蔵のＩＣカードが用いられることが多い。
【０００７】
このＢの構成は、関連情報の暗号化方式の安全性が維持できなくなった場合は、ＩＳＯ規格のＩＣカードの部分のみを更新すればよいが、信号をデスクランブルする部分の安全性が維持できなくなった場合は受信機本体を交換する必要がある。
【０００８】
図２のＣは、信号のデスクランブラの部分も含めて受信機本体から取り外し可能なモジュールにした場合である。インタフエースされる信号はＢの場合に比べて高速になることから、Ｃは高速ＣＡインタフェース方式、Ｂは低速ＣＡインタフェース方式と呼ばれる。ＣはＢの場合のようにインタフェース部分にスクランブル鍵Ｋｓが現れないことから、安全性の高い方式として、ヨーロッパなどで規格化されている。しかし、モジュールの接点数は、Ｂは８ピンであるのに対して、Ｃは例えば６８ピンと多接点のカードになることからコストが高くなるという問題がある。
【０００９】
ところで、Ｂの場合は、デスクランブルの方式は規格化して公開するが、デスクランブルのパラメータとしてスクランブル鍵Ｋｓを変化させることにより安全性を保つ方式である。この方式では、ＩＣカードと受信機本体の間のインタフェースを規格化し、セキュリティに関する処理は外部から一切アクセスができないようにしたＩＣカードの内部で行うようにすることにより、受信機本体には特に秘密の部分を含ませないようにするととができる。
【００１０】
その結果、受信機本体を各メーカーで限定受信方式の開発者と秘密保持の契約を結ぶことなく自由に製造することが可能となり、大量生産による受信機本体のコスト削減、さらにこれに伴なう普及の促進等が可能になる。
【００１１】
【発明が解決しようとする課題】
ところで、先に述べたＢの構成（図２参照）による限定受信方式の受信機の場合、受信機本体に装填されるＩＣカードは、放送される信号で用いられている限定受信方式、例えば関連情報の暗号化方式を処理できるものでなければならない。
【００１２】
しかし、物理的には受信機本体にはＩＳＯ規格によるＩＣカードであれば装填できるので、受信している放送信号に対して、正しく処理できるＩＣカードが装填されていることを直ちに判定して、誤っている場合には視聴者に示す必要がある。
【００１３】
ところが、ＩＣカードのような秘密の処理を行うデバイスの機能について受信機側から判定を行う方法としては、従来は、機能を確認するための信号を受信機本体側に秘密の機能を持たせて発生させる方法が用いられていた。
【００１４】
しかし、この方法では、受信機本体にＩＣカード内の秘密処理の少なくとも一部の内容と関係する秘密の機能を持たせる必要があり、前述のように、受信機本体には秘密の部分を持たせずに自由に製造が可能であるようにする目的に沿わないことになる。
【００１５】
よって本発明の目的は、上述の点に鑑み、受信機本体自体には秘密の処理機能を持たせることなく、受信機本体に装填されるＩＣカードが所期の秘密処理機能を有しているか否かを、受信機本体側で判定できるようにした放送受信機を提供することにある。
【００１６】
【課題を解決するための手段】
上記の目的を達成するために、本発明に係る放送受信機は、受信機本体と前記受信機本体に着脱可能な形態を有するＩＣカードとで構成された限定受信方式に適合した放送受信機において、放送局側で生成された第１のコードと、前記受信機本体の製造業者である第三者には検知し得ない方法で該放送局側において該第１のコードを変換して得られた第２のコードとを受信する受信手段と、受信された前記第２のコードを入力するＩＣカードであって、該ＩＣカードの内部プログラムに基づいて変換処理を行った結果として得られる第３のコードを当該受信機本体へ送出するＩＣカードと、前記第３のコードを前記第１のコードと比較する比較手段と、前記比較手段により比較した結果が一致しない場合には、前記ＩＣカードが当該限定受信方式に適合していない旨を告知する告知手段とを具備したものである。
【００１７】
ここで、前記ＩＣカードの内部プログラムに基づいて行う変換処理は、放送局側で行われる変換処理に対する逆変換処理であり、該逆変換処理により得られる結果が前記第１のコードと同一である場合には、当該限定受信方式には適合していない旨の告知を行わないようにすることができる。
【００１８】
また、放送局側およびＩＣカード内で行われる変換処理として、ブロック暗号方式あるいはストリーム暗号方式を用いることができる。
【００１９】
【発明の実施の形態】
本発明の一実施の形態では、受信機本体に装填されるＩＣカード内に秘密処理機能を有するか否かの判定を、受信機本体に秘密の情報を持たせることなく行うために、秘密の情報を放送局側から送り、受信機本体側では、この情報を受信した後にＩＣカードヘ転送し、その応答結果と放送局側から受信した情報とを用いて上記の判定を行う。
【００２０】
以下、図面を参照して、本発明の実施の形態を詳細に説明する。
【００２１】
図１は、本発明を適用した受信機本体およびＩＣカードを示す構成図である。
【００２２】
本図において、ＡＮＴは受信用アンテナである。２はチューナ、４はデスクランブラ、６は映像・音声デコーダ、８はバッファメモリ、１０は比較部、１２は異カード告知部、２０は受信機本体である。２２は応答処理部、２４は関連情報処理部、３０はＩＣカードである。
【００２３】
受信機本体２０では、放送局から送られた所定の限定受信方式で処理された番組信号および受信を制御するための情報（関連情報）を受信するが、この関連情報の中には、新たにＸとＹという数値が含まれている。例えば、値Ｘは、放送局で値Ｙに対して行われた秘密処理を行った結果の値である。
【００２４】
受信機本体２０では、チューナ２を介して受信・再生した値の内、値Ｙは受信機本体２０内のバッファメモリ８にそのまま記憶しておき、値Ｘを受信機本体２０に装填されたＩＣカード３０に転送する。この限定受信方式に適合した受信機本体２０には、放送局で行われた秘密処理に対応した処理を行うためのＩＣカード３０を装填する必要があり、このＩＣカード３０には、予め値Ｘが転送されてきた場合には、値Ｘから値Ｙに戻すことができる演算機能が組み込まれている。従って、受信機本体２０は、受信した値ＸをＩＣカード３０の応答処理部２２に転送すると、その応答処理の演算結果として出力される値Ｚが、受信機本体２０のバッファメモリ８に先に記憶されている値Ｙに等しいか否かを比較部１０にて判定し、そのＩＣカード３０が放送局側と同一の秘密処理を行う機能を有しているか否かを識別する。
【００２５】
ここで、値Ｘと値Ｙの関係としては、種々の暗号化方式を用いて両者を関係付けることができる。例えば、放送局側およびＩＣカード内で行われる変換処理として、ブロック暗号方式あるいはストリーム暗号方式を用いることができる。また、ＩＣカード３０の内部処理プログラムを作成してカードを発行する事業者と、値Ｘと値Ｙの情報を送出する放送局側が値Ｘと値Ｙの関係を知っていればよいので、いわゆる暗号方式でなくても利用することができる。
【００２６】
ただし、本発明を適用した判定・識別処理に対する安全性を維持するためには、放送される信号を観測することによって第三者が値Ｘと値Ｙの関係を容易に推測できるものであってはならないことが重要である。
【００２７】
本発明による前述の識別を行うためには、例えば、ＢＳデジタル放送の限定受信方式（ＢＳ−ＣＡＳ方式）の規格（電波産業会標準規格「ＢＳデジタル放送限定受信方式」（ＡＲＩＢ  ＳＴＤ−Ｂ２５）参照）において、次の機能を付加することで実現することが可能となる。
【００２８】
（ア）放送される信号の中に、値Ｘと値Ｙを含む記述子を新たに設けて送出する。
（イ）受信機本体２０からＩＣカード３０ヘ送るコマンドのうち、正規のＩＣカード３０からの応答を必要とするものなど適当なコマンドの中に値Ｘを含めて送る。
（ウ）（イ）のコマンドに対するＩＣカード３０からのレスポンスの中に、値ＸをＩＣカード３０で処理した結果の値Ｚを含めて受信機本体２０に戻す。
（エ）受信機本体２０では、値Ｙと値Ｚが異なる場合には、ＩＣカード３０が放送信号に対応していない旨の表示等の告知を行うための処理を行う。この告知のための処理は、本実施の形態では、異カード告知部１２にて行う。
【００２９】
【発明の効果】
以上説明した通り、本発明によれば、受信機本体に装填されるＩＣカード３０内の秘密処理の機能が、放送局から送信される情報における秘密処理の機能と一致するか否かの判定機構を、受信機本体に秘密の部分を含ませることなく、容易かつ簡単に実現することができる。
【００３０】
従って、本発明を適用した放送受信機によれば、使用される限定受信方式の開発・運用等の事業者と秘密保持の契約を結ぶことなく、独立して製造が可能であるという、格別な効果を奏することができる。
【図面の簡単な説明】
【図１】本発明の一実施の形態を示すブロック図である。
【図２】限定受信方式を用いる放送受信機における、受信機本体とセキュリティ処理を行う部分の関係を説明する図である。
【符号の説明】
ＡＮＴ    受信用アンテナ
２    チューナ
４    デスクランブラ
６    映像・音声デコーダ
８    バッファメモリ
１０    比較部
１２    異カード告知部
２０    受信機本体
２２    応答処理部
２４    関連情報処理部
３０    ＩＣカード
【図１】
0004216435.tif 000002
【図２】
0004216435.tif 000003